(57)【特許請求の範囲】
【請求項１】
強磁性材料と組み合わせて交番磁界により生じた電磁誘導加熱を利用して、カテーテルチューブ内に湾曲部を形成するための方法であって、
ルーメンを有するカテーテルチューブを提供する工程と、
カテーテルチューブを電磁誘導加熱するための手段を提供する工程と、同手段は選択された量のキューリー温度を有する強磁性材料を備える組成を有することと、
前記カテーテルチューブを電磁誘導加熱するための手段の基端側に近接してカテーテルチューブの少なくとも一部を配置する工程と、
カテーテルチューブの少なくとも一部を湾曲形状に配置する工程と、
前記カテーテルチューブを電磁誘導加熱するための手段が所望の温度に達するように、カテーテルチューブの少なくとも一部と、カテーテルチューブを電磁誘導加熱するための手段とを交番磁界に露出させる工程と、
カテーテルチューブを前記電磁誘導加熱するための手段から分離させる工程とからなり、
前記カテーテルチューブを電磁誘導加熱するための手段は、少なくとも強磁性材料の第１の選択された量を有する第１部分と、強磁性材料の第２の選択された量を有する第２部分とを備えることと、
前記カテーテルチューブを電磁誘導加熱するための手段の第１部分および第２部分は、異なる所望の温度を得ることと、
前記カテーテルチューブを電磁誘導加熱するための手段は、前記第１部分と第２部分との間に配置された少なくとも１つの絶縁用の挿入部分を備えることとを特徴とする方法。
【請求項２】
前記カテーテルチューブ及びカテーテルチューブを電磁誘導加熱するための手段が、カテーテルチューブを分離する前に冷却される工程をさらに有する請求項１に記載の方法。
【請求項３】
前記所望の温度はキューリー温度である請求項１に記載の方法。
【請求項４】
前記カテーテルチューブを電磁誘導加熱するための手段は、カテーテルチューブの少なくとも一部を湾曲形状に維持する請求項１に記載の方法。
【請求項５】
前記カテーテルチューブは少なくとも２つの部分を有し、前記電磁誘導加熱するための手段の少なくとも一部は、カテーテルチューブの少なくとも１つの部分に対応する請求項１に記載の方法。
【請求項６】
前記カテーテルチューブを電磁誘導加熱するための手段は、カテーテルチューブのルーメンの少なくとも一部内に配置されるマンドレルを備える請求項１に記載の方法。
【請求項７】
前記マンドレルは湾曲形状を形成する請求項６に記載の方法。
【請求項８】
カテーテルチューブは内層と外層とからなることと、カテーテルチューブを電磁誘導加熱するための手段はマンドレルからなることと、カテーテルチューブ及びマンドレルは、カテーテルチューブを分離する前に冷却される請求項１に記載の方法。
【請求項９】
前記カテーテルチューブを電磁誘導加熱するための手段は、前記カテーテルチューブの少なくとも一部を収容するためのチャンバを有する取付け具を備える請求項１に記載の方法。
【請求項１０】
前記取付け具は複数の挿入部分を備え、同挿入部分は強磁性材料を有する請求項９に記載の方法。
【請求項１１】
前記チャンバは、前記カテーテルチューブの少なくとも一部を収容するための湾曲形状を有する請求項９に記載の方法。
【請求項１２】
前記カテーテルチューブは内層と外層とからなることと、前記カテーテルチューブを電磁誘導加熱するための手段は、同カテーテルチューブの少なくとも一部を収容するためのチャンバを有する取付け具からなることと、同カテーテルチューブ及び取付け具は、カテーテルチューブを分離する前に冷却される請求項１に記載の方法。
【発明の詳細な説明】
【技術分野】
【０００１】
本発明は医療用具に関する。より詳細には、本発明はカテーテルに関する。本発明は、カテーテル及びカテーテルの湾曲部を形成するための装置及び方法を含む。
【背景技術】
【０００２】
様々な種類の血管内カテーテルが、血管系の疾患を診断し治療するために開発されてきた。カテーテルには、湾曲されたり成形された先端部を備えているものがある。湾曲されたり成形された部分は、血管内におけるカテーテルの通過を容易にするために使用される。湾曲されたり成形された部分により、カテーテルは鋭角に屈曲したり、蛇行する管路内を進むことができ、これは他のカテーテルを使用しても容易に達成できないことである。
【０００３】
血管系の疾患を診断及び治療するために使用されるカテーテルには、通常、内層、補強層、及び外層からなるものがある。外層は、カテーテルの長さに沿って配置された複数のセグメントを備えることも可能である。セグメントは、異なる力学的性質及び／又は材料を有することもでき、それにより、カテーテルのシャフトに沿ってカテーテルの剛性、可撓性、及びトルク伝達性を変更することができる。例えば、外層の形成時にセグメントの有効な組合せを選択する場合に、カテーテルは、可撓性を有する先端領域を有し、同時により高い剛性を有する基端領域がより高いトルク伝達性を維持するように形成することも可能である。可撓性を有する先端領域により、カテーテルは血管の蛇行する領域を通過でき、さらに、より高い剛性を有する基端領域により、カテーテルは血管内を長手方向に進めることができる。ほぼ連続するカテーテルシャフトを形成するために、異なる特性即ち材料を有するこれらのセグメントを接合する、或いはこれらのセグメントをカテーテルシャフトの残りの部分に接合することが必要である。
【発明の開示】
【発明が解決しようとする課題】
【０００４】
本発明は上記した懸案を鑑みてなされたものである。
【課題を解決するための手段】
【０００５】
本発明はカテーテル及びカテーテルの湾曲部を形成する装置及びその方法に関する。より詳細には、本発明は、強磁性材料と組み合わせて交番磁界により生じた電磁誘導加熱を利用して、カテーテル及びカテーテルの湾曲部を形成することに関する。強磁性材料は、ヒステリシスロスにより熱を発生させる交番磁界に配置される。強磁性材料から発生した熱は、伝導及び／又は伝達によりカテーテルチューブに移動する。強磁性材料に接触、又は、強磁性材料の基端側に近接するカテーテルを加熱する工程は、迅速、均一、及び制御可能に行われる。
【０００６】
本発明の一実施例は、カテーテルチューブ及び強磁性材料を有するマンドレルを備える。強磁性材料は、マンドレルの外面に埋め込まれてもよく、或いは、マンドレル上のコーティングに含有されてもよい。これに代えて、マンドレルは、ポリマーと強磁性材料との混合物から形成されてもよく、或いは、マンドレルは、強磁性コアを有する非強磁性材料を有してもよい。マンドレルは、強磁性材料の異なる組成や粒径や粒子の濃度を備える複数の部分を有してもよいが、これらの部分はカテーテルの異なる材料即ち異なる力学的性質からなるセグメントにほぼ対応する。マンドレルは、先端部において形成された所望の湾曲形状を有してもよい。これに代えて、マンドレルは、ほぼ直線状であっても、所望の湾曲形状に容易に屈曲可能であってもよい。
【０００７】
マンドレルは、カテーテルチューブのルーメン内に挿入されて、同チューブの先端部において所望の湾曲部を形成したり、カテーテルチューブをほぼ直線状に維持することも可能である。マンドレル及びカテーテルチューブは、その後、交番磁界に露出される。強磁性粒子からのヒステリシス効果により、マンドレル内に熱が発生する。したがって、マンドレル及びカテーテルチューブの近接する部分は、所望の温度、望ましくは強磁性材料のキューリー温度に達することができる。キューリー温度とは、その温度を越えると材料が常磁性になり、加熱しなくなる温度のことである。所望のキューリー温度は、強磁性材料の粒径や体積分率等の特性を調整することにより得ることができる。異なるキューリー温度に達するように設計された複数の部分を有するマンドレルが使用される場合、カテーテルチューブの異なるセグメントは異なる温度に達するが、これらの温度は、所望の加工温度、即ち、カテーテルチューブのセグメントの異なる融点に関連する溶融温度（ｆｕｓｉｎｇ  ｔｅｍｐｅｒａｔｕｒｅｓ）に相当する。
【０００８】
マンドレル及びカテーテルチューブは、所望の温度に達すると、交番磁界から取り除かれて冷却される。マンドレルは、次に、カテーテルチューブから取り外される。新しいカテーテルチューブがマンドレル上に配置されて、加工工程が繰り返される。
【０００９】
別の実施例は、カテーテルチューブ及びカテーテルチューブを収容するための取付け具を有する。取付け具は、カテーテルチューブの少なくとも一部を完全に包囲できるように、上部及び下部を有してもよい。取付け具は、カテーテルチューブの少なくとも一部を収容するように設計されたチャンバを備えてもよい。チャンバは、所望の湾曲形状を有してもよく、或いは、ほぼ直線状であってもよい。取付け具は、所望の湾曲形状を形成するチャンバを有する挿入部分を収容するように設計されてもよい。挿入部分は、別の湾曲形状を形成するために差し替えることも可能である。チャンバ即ち挿入部分は、強磁性材料から形成、又は、強磁性材料でコーティングされてもよく、チャンバの異なる部分、即ち、強磁性材料の異なる組成を有する異なる挿入部分は、異なる所望の温度に達するように設計されてもよい。異なる温度領域は、異なる融点や他の力学的性質を備える材料からなるカテーテルの異なるセグメントにほぼ対応する。特定のセグメントは、強磁性の挿入部分の間に配置される絶縁用の挿入部分を備えることもできる。これらのセグメントは、より高温の挿入部分に近接するシャフト部分の過熱を防止する補助を行う。
【００１０】
カテーテルチューブの少なくとも一部は、取付け具のチャンバ内に収容されてもよい。よって、カテーテルチューブは、チャンバに対応する形状に形成される。取付け具の上部は、カテーテルチューブの上方に配置されて、カテーテルチューブの少なくとも一部を収容する。次に、取付け具及びカテーテルチューブは、交番磁界に露出される。強磁性材料からのヒステリシス効果により、取付け具内に熱が発生する。したがって、取付け具及びカテーテルチューブの近接する部分は、所望の温度、望ましくは強磁性を有する材料のキューリー温度に達することができる。上記したように、取付け具は、所望のキューリー温度に達するように正確に設計される。異なるキューリー温度に達するように設計された複数の部分を有する取付け具が使用される場合、カテーテルチューブの異なるセグメントが異なる温度に達し、それらの温度は、カテーテルチューブのセグメントの異なる融点又は溶融温度に相当する。
【００１１】
取付け具及びカテーテルチューブは、所望の温度に達すると、交番磁界から取り除かれて冷却される。次に、カテーテルチューブは、取付け具から取り外される。新しいカテーテルチューブが取付け具内に配置されて、加工工程が繰り返される。
【００１２】
血管形成用バルーンや他の医療器具用バルーンを形成するような他の用途にも、この加工工程を使用することができる。バルーンの異なる部分に、異なる温度を付与することが望ましい場合もある。例えば、端部分が、中心部分よりも高い温度に露出されることが望ましい場合もある。強磁性材料の異なる組成を使用する取付け具は、端部分が中心部分よりも高いキューリー温度に達するように設計されてもよい。バルーンを収容する取付け具が交番磁界に露出されると、バルーン部分を所望の温度まで加熱する。バルーンや他の部材が形成された後に、強磁性の熱源が、得られたポリマーの特性を向上させるために、焼きなまし等により、制御された速度で冷却されてもよい。この用途は、バルーンの端部分をカテーテルシャフトに固定するが、バルーンの中心部分を変形させない場合にも有効である。
本発明の他の実施例においては、強磁性材料と組み合わせて交番磁界により生じた電磁誘導加熱を利用して、カテーテルチューブ内に湾曲部を形成するための方法であって、ルーメンを有するカテーテルチューブを提供する工程と、カテーテルチューブを電磁誘導加熱するための手段を提供する工程と、同手段は選択された量のキューリー温度を有する強磁性材料を備える組成を有することと、前記カテーテルチューブを電磁誘導加熱するための手段の基端側に近接してカテーテルチューブの少なくとも一部を配置する工程と、カテーテルチューブの少なくとも一部を湾曲形状に配置する工程と、前記カテーテルチューブを電磁誘導加熱するための手段が所望の温度に達するように、カテーテルチューブの少なくとも一部と、カテーテルチューブを電磁誘導加熱するための手段とを交番磁界に露出させる工程と、カテーテルチューブを前記電磁誘導加熱するための手段から分離させる工程とからなり、前記カテーテルチューブを電磁誘導加熱するための手段は、少なくとも強磁性材料の第１の選択された量を有する第１部分と、強磁性材料の第２の選択された量を有する第２部分とを備えることと、前記カテーテルチューブを電磁誘導加熱するための手段の第１部分および第２部分は、異なる所望の温度を得ることと、前記カテーテルチューブを電磁誘導加熱するための手段は、前記第１部分と第２部分との間に配置された少なくとも１つの絶縁用の挿入部分を備えることとを特徴とする。
【発明を実施するための最良の形態】
【００１３】
以下、図面に基づき説明する。なお、各図面においては、類似する要素については、類似する符号を付す。図面は、必ずしも寸法比率が等しいものではなく、選択された実施例を表すためのものであり、本発明の範囲を限定するものではない。提示される多くの例は、利用することができる好適な変更例を有していることが、当業者には理解されるであろう。
【００１４】
図１は、複数のセグメント１２，１４，１６を有するカテーテル１０を示す。カテーテル１０は、３つのセグメント１２，１４，１６を有するが、本発明はカテーテル１０のセグメントの数や、シャフト１８に沿ったそれらセグメントの位置に限定されるものではない。一実施例において、セグメント１２，１４，１６は、それぞれ異なる特性を有する異なる材料からなる。しかしながら、セグメントは、異なる力学的性質を有するほぼ同じポリマー材料からなってもよい。一実施例において、第１セグメント１２は、先端部２０において、蛇行する血管内を進行するために比較的可撓性を有し、第２セグメント１４は、それよりも少ない可撓性を有し、第３セグメント１６は、比較的高い剛性を有して、血管のルーメン内でのカテーテルの前進を容易にする。カテーテル１０の特性は、単に例示的なものであり、本発明の範囲を限定するものではない。
【００１５】
図１Ａは、図１に示されたカテーテル１０の断面図である。カテーテル１０は、少なくとも１つのルーメン２８を有する内層２２、補強層２４、及び補強層２４上に配置された外層２６からなる。カテーテル１０は、３つの層２２，２４，２６からなるが、この実施例は単に例示的なものであり、本発明は、層の数やカテーテルを構成する層の配置により限定されるものではない。一実施例において、外層２６のみが、異なる特性を備えるセグメント１２，１４，１６を有する。
【００１６】
図２は、複数のセグメント１２，１４，１６と、所望の湾曲形状３８を備える先端部とを有するカテーテル３０を示す。先端部４０は、比較的可撓性を有してもよいが、カテーテル３０は、湾曲形状３８を維持するために押圧されてもよい。カテーテル３０の湾曲形状３８は、蛇行する血管内でのカテーテル３０の進行と位置決めを容易にする。セグメント１２，１４，１６は、それぞれほぼ同じ材料からなってもよく、或いは、異なる特性を備える異なる材料からなってもよい。カテーテル３０は、図１のカテーテル１０のように複数の層を使用して形成されてもよい。一実施例において、外層２６のみが複数のセグメント１２，１４，１６を有する。
【００１７】
図３及び図４は、本発明に使用される取付け具の２つの種類を示す。一実施例の要素は、必要に応じて他の実施例に組み込まれてもよい。図３は、図１に示されたカテーテル１０などのカテーテルや、図２に示されたカテーテル３０の湾曲部３８などのカテーテルの湾曲部を形成するための取付け具５０を示す。取付け具５０は、上部５２及び下部５４を有してもよく、或いは、１つの部分のみを有してもよい。当業者には、本発明の範囲が取付け具を構成する部分の数により限定されないことが理解されよう。これらの部分は、図４に示されるヒンジ６８のように、互いに固定するための手段を有してもよい。さらに或いはこれに代えて、部分５２，５４は、それらの部分を整合するための手段を有してもよい。図４に関して、下部５４はタブ５６を備えてもよく、上部５２はタブ５６を収容するためのスロット５８を備えてもよい。
【００１８】
取付け具５０は、カテーテル１０，３０の少なくとも一部を収容するためのチャンバ６０を有する。チャンバ６０は、図２に示すようなカテーテル３０の湾曲形状３８に類似する所望の湾曲形状を有してもよく、或いは、チャンバ６０は、図４に示すようなほぼ直線状であってもよい。一実施例において、チャンバ６０は、強磁性材料を備える複数の部分６２，６４，６６を有し、第１部分６２は強磁性材料を備える第１の選択された組成を有し、第２部分６４は強磁性材料を備える第２の選択された組成を有し、さらに第３部分６６は強磁性材料を備える第３の選択された組成を有する。図３に示すチャンバ６０は、３つの部分６２，６４，６６を備えるが、本発明は、チャンバ６０における部分の数により限定されるものではない。
【００１９】
部分６２，６４，６６の選択された各組成は、強磁性材料を有する部分のキューリー温度を含むその異なる特性により選択されてもよい。所望のキューリー温度は、チャンバ６０の選択された部分６２，６４，６６に接触するカテーテルセグメント１２，１４，１６の材料の融点に対応するように、選択されてもよい。異なる組成を有する複数の部分６２，６４，６６を備えることにより、カテーテル１０，３０の異なるセグメント１２，１４，１６を異なる融解温度に対応する温度まで加熱することが可能である。さらに、選択されたセグメントは、近接する領域の過熱を防止するために、絶縁材料を備えることも可能である。
【００２０】
図４は、複数の挿入部分７２，７４，７６を有する他の取付け具７０を示す。挿入部分７２，７４，７６は、取付け具７０のチャネル８０内に配置される。図４は挿入部分７２，７４，７６を有するほぼ直線状のチャネル８０を示すが、チャネル８０は、湾曲した挿入部分を収容するために、図３の取付け具５０のような湾曲形状５８を有してもよい。挿入部分７２，７４，７６は、カテーテル１０，３０の少なくとも一部を収容するためのチャンバ６０を有する。一実施例において、挿入部分７２，７４，７６は、強磁性材料を備える。他の実施例において、挿入部分は強磁性材料を備えるコーティング７８を有する。図３のチャンバ６０におけるように、各挿入部分７２，７４，７６は、同じ強磁性材料を備えてもよく、或いは、異なる強磁性材料を備えてもよい。取付け具７０は、図４に示されるように、上部５２及び下部５４を有してもよく、或いは、１つの部分のみを有してもよい。上部５２は、下部５４の対応する領域と同様の挿入部分を備えてもよい。当業者には、本発明の範囲が取付け具を構成する部分の数により限定されるものではないことが理解されるであろう。ヒンジ６８により、上部５２は下部５４から持ち上げることができるが、それらの連結状態は維持される。さらに又はこれに代えて、下部５４のタブ５６は、部分５２，５４を固定して整合させるために、上部５２のスロット５８内に配置されてもよい。
【００２１】
図３の取付け具５０と同様に、各挿入部分７２，７４，７６に対して強磁性材料の選択された組成は、強磁性材料のキューリー温度などの異なる特性により選択されてもよい。さらに、特定の挿入部分は、近接するセグメントの過熱を防止するために、絶縁材料から形成されることも可能である。上記したように、カテーテル１０，３０の異なるセグメント１２，１４，１６は、各挿入部分７２，７４，７６のキューリー温度に対応する異なる温度まで加熱されてもよい。
【００２２】
図５は、カテーテル加工工程の一例を示す。カテーテル３０の少なくとも一部を収容するためのチャンバ６０を有する取付け具５０が構成される。チャンバ６０は、複数の部分６２，６４，６６を有し、各部分は強磁性材料を備える組成を有する。図２のカテーテルなどのカテーテル３０は、外層２６を構成する複数のセグメント１２，１４，１６を備える。カテーテル３０の一部は、チャンバ６０内に配置され、セグメント１２，１４，１６は、強磁性の組成を有するチャンバ６０の部分６２，６４，６６に対応する。取付け具５０及びカテーテル３０の少なくとも一部は、交番磁界９０に露出される。一実施例において、交番磁界９０は、交流を使用することにより形成することができる。交番磁界９０に対して露出された強磁性材料におけるヒステリシスロスにより、取付け具５０内において熱が発生する。強磁性材料は、そのキューリー温度まで加熱され、その温度を超えると強磁性材料は加熱しなくなる。所望のキューリー温度は、強磁性材料の粒径や体積分率を選択したり、熱の発生時に酸化作用を制御することにより得ることができる。このような電磁誘導加熱により、所望の材料を迅速且つ均等に制御して選択的に加熱することができる。
【００２３】
強磁性材料の選択されたキューリー温度は、カテーテル３０のセグメント１２，１４，１６の溶融即ち融解温度に対応して選択されてもよい。したがって、カテーテル３０のセグメント１２，１４，１６が、カテーテル３０の他の部分を過熱することなく、その異なる溶融即ち融点に達することができる。このようにして、カテーテル３０のセグメント１２，１４，１６は、カテーテル３０及び／又は互いに接合される。さらに又はこれに代えて、湾曲形状３８は、加熱工程によりカテーテル３０の一部において形成されてもよい。
【００２４】
取付け具５０及びカテーテル３０の選択された部分は、それらの所望する温度に達し、取付け具５０及びカテーテル３０は、交番磁界９０から取り除かれて冷却される。他のカテーテルが取付け具５０内に配置されて、この工程が繰り返される。
【００２５】
図６は、複数の部分１６２，１６４，１６６を有するマンドレル１００を示す。マンドレル１００は、強磁性材料を備える第１の組成を有する第１部分１６２と、強磁性材料を備える第２の組成を有する第２部分１６４と、強磁性材料を備える第３の組成を有する第３部分１６６とを備える。図６のマンドレル１００は３つの部分１６２，１６４，１６６を備えるが、本発明の範囲がマンドレル１００の部分の数により限定されるものではない。部分１６２，１６４，１６６は、強磁性材料を備える異なる組成を有してもよく、或いは、それらの組成はほぼ同じであってもよい。図６のマンドレル１００は、湾曲した先端領域１５８を有するが、マンドレル１００は、ほぼ直線状であってもよい。
【００２６】
マンドレル１００が強磁性材料を備えるための可能な方法は多数ある。マンドレル１００は、外面に埋め込まれた強磁性粒子を有してもよく、或いは、強磁性材料の組成を有するコーティングを備えてもよい。これに代えて、マンドレルは、ポリマーと強磁性材料との混合物から形成されてもよく、或いは、マンドレルは、強磁性材料を備えるコアを有してもよい。マンドレルは剛性を有してもよく、或いは、柔軟に操作されるように形成されてもよい。
【００２７】
図７は、図５の加工工程と類似するカテーテルの加工工程の他の実施例を示す。図６のマンドレル１００は、図２のようにカテーテル３０のルーメン１１０内に配置される。一実施例において、マンドレル１００の部分１６２，１６４，１６６は、カテーテル３０のセグメント１２，１４，１６に対応する。湾曲形状３８は、マンドレル１００の周囲に配置されるカテーテル３０の少なくとも一部において形成されてもよく、或いは、カテーテル３０は、ほぼ直線状に維持されてもよい。マンドレル１００及びカテーテル３０の少なくとも一部は、交番磁界９０に露出される。マンドレル１００及びカテーテル３０の一部は、所定のキューリー温度を得られるように、マンドレル１００の部分１６２，１６４，１６６を設計することにより好適に選択された所望の温度に達することができる。所望のキューリー温度は、上記したようにマンドレル１００内の強磁性材料を選択的に備えることにより調整されてもよい。このように、カテーテル３０のセグメント１２，１４，１６は、カテーテル３０の他の部分を過熱することなく、それらの部分の対応する融解即ち溶融温度などの異なる温度に達することが可能である。カテーテル３０のセグメント１２，１４，１６は、それぞれの融解即ち溶融温度に達すると、カテーテル３０及び／又は他のセグメントに接合される。さらに又はこれに代えて、湾曲形状３８は、加熱工程によりカテーテル３０の一部において形成されてもよい。カテーテル３０が所望の温度まで加熱されると、マンドレル１００及びカテーテル３０は、交番磁界９０から取り除かれて冷却される。冷却速度は、必要に応じてポリマーに焼きなまし効果を付与するために調整されてもよい。マンドレル１００は、カテーテル３０から取り除かれて、加工工程が繰り返される。
【００２８】
上記した加工工程に類似する他の工程では、交番磁界９０に対して露出される強磁性材料を同様に使用する。図８は、同様の加工工程を使用するカテーテルに対して、血管形成用バルーンを形成するための取付け具１２０を示す。取付け具１２０は、上部１５２及び下部１５４を有してもよく、図３及び４の取付け具５０，７０のように類似する固定要素を有してもよい。取付け具１２０は、バルーン（図示せず）を形成するためにブロー成形されたチューブ状部材を収容するためのチャンバ１６０を有する。バルーン形成のそのような工程は、米国特許第５０８７３９４号明細書に開示されており、同特許文献に開示された内容は本願においても開示されたものとする。チャンバ１６０は、中心部分１７６及び２つの端部１７２，１７４を有する。端部１７２，１７４は、中心部分１７６とは異なる強磁性材料、即ち、異なる材料の濃度／粒径を有してもよい。したがって、端部１７２，１７４は、取付け具１２０が交番磁界９０に露出されると、中心部分１７６とは異なる温度に達することができる。この場合は、端部１７２，１７４は、端部の厚さをより大きくすることにより、望ましいより高い温度に達することができ、バルーンの中心部分は、中心部分のバルーン材料の所望の最大温度或いはそれよりも低い温度に維持される。したがって、バルーンは、加熱と冷却のサイクルにおいて、取付け具内で好適に熱処理される。
【００２９】
本願に開示されている事項は、多くの点において、単に例示的なものであることは理解されるべきである。詳細に変更を加えることは可能であり、特に、形状、大きさ、部品の配置、工程の順序については、本発明の範囲を逸脱することなく、変更可能である。添付の特許請求の範囲の文言により、本発明の範囲が画定される。
【図面の簡単な説明】
【００３０】
【図１】複数のセグメントを有するカテーテルを示す平面図。
【図１Ａ】図１の１Ａ−１Ａ線におけるカテーテルの断面図であって複数の層及び補強部材を示す。
【図２】湾曲形状を有する先端部を備えるカテーテルを示す側面図。
【図３】カテーテルチューブを収容するための取付け具を示す斜視図であって、取付け具のチャンバの壁は表面に示された濃淡部分を含む強磁性材料を有する。
【図４】取り外し可能な挿入部分を有する取付け具を示す斜視図であって、挿入部分は濃淡で示される強磁性材料を有するチャンバの壁を有する。
【図５】取付け具に配置されたカテーテルチューブを示す斜視図。
【図６】強磁性を有する複数の部分を備えるマンドレルを示す側面図。
【図７】ルーメン内に配置されたマンドレルを有するカテーテルチューブを示す斜視図。
【図８】血管形成用バルーンを形成するための取付け具を示す斜視図。
【図１】
0004744148.tif 000002
【図１Ａ】
0004744148.tif 000003
【図２】
0004744148.tif 000004
【図３】
0004744148.tif 000005
【図４】
0004744148.tif 000006
【図５】
0004744148.tif 000007
【図６】
0004744148.tif 000008
【図７】
0004744148.tif 000009
【図８】
0004744148.tif 000010